(57)【要約】【課題】仮設工事用サポートのピン受け用ナットの上周縁部に回転自在なるように連結されるキャップであって、ピンがピン孔において移動したり、該ピン孔から抜け落ちるのを防止する。【解決手段】円筒体２２の底部外周面の直径方向に、装入凹部２３を備えた脚板２４をそれぞれ突設すると共に、前記各脚板２４の上面部と円筒体２２の下面部に跨がる前記ピン孔７と略同径のガイド孔２５をそれぞれ穿設し、更に、前記各脚板２４の上方部と円筒体２２の下面に前記ピン孔７およびガイド孔２５に貫挿されたピン６の下部外周面部を保持する切欠部２６を備えた湾曲保持部２７を形成し、且つ前記ガイド孔２５の上部内周壁面に前記ピン６の上部外周面に喰い込む複数個の逆三角形状の突起２８を突設する。【選択図】図２
2006063653.tif 000002
【特許請求の範囲】
【請求項１】
下端にベースプレートを備えた大径の下方パイプに、上端に受け板を備えた小径の上方パイプを昇降自在なるよう嵌挿すると共に、該上方パイプに直径方向にピンを貫通するピン孔を長さ方向に所定間隔を有して複数個穿設し、更に、前記下方パイプの上方部外周に適宜長さの雄螺子を周設すると共に、該雄螺子の直径方向両側に長さ方向と平行な長孔をそれぞれ穿設して形成された仮設工事用サポートの雄螺子に螺合されるピン受け用ナット上に回転自在なるよう連結するキャップであって、
前記キャップは、円筒体の底部外周面の直径方向に、前記ピン受け用ナットの螺合部の上端外周縁部に周設されたフランジに嵌挿する装入凹部を備えた脚板をそれぞれ２個突設すると共に、前記各脚板の上面部と円筒体の下面部とに跨って前記ピン孔と略同径のガイド孔を直径方向にそれぞれ穿設し、更に、前記各脚板の上方部と円筒体の下面に、前記ピン孔およびガイド孔に挿通されたピンの下部外周面部を保持する切欠部を備えた湾曲保持部を設け、且つ前記ガイド孔の上部内周壁面に前記ピンの上部外周面部に喰い込む複数個の逆三角形状突起を突設して形成され、更に前記キャップの各脚板の装入凹部を前記ピン受け用ナットのフランジに嵌挿して、該キャップを該ピン受け用ナット上に回転自在に連結するようにしたことを特徴とする仮設工事用サポートのピン受け用ナットにおけるキャップ。
【発明の詳細な説明】
【技術分野】
【０００１】
本発明は、仮設工事用サポートにおいて、仮設工事用サポートの全長を微調整することができる仮設工事用サポートのピン受け用ナットにおけるキャップに関するものである。
【背景技術】
【０００２】
従来、仮設工事用サポートの全長を微調整することができるピン受け用ナットは、例えば、特開平１１−１０７５４６号公報に開示された環状のナットが公知である。
【０００３】
【特許文献１】特開平１１−１０７５４６号公報
【発明の開示】
【発明が解決しようとする課題】
【０００４】
前記特許文献１で開示された仮設工事用サポートにおけるピン受け用ナットは、該特許文献１の図４（Ａ）・（Ｂ）に符号「１６」で示されているが、ピン３をピン孔１５に挿通して、前記ピン受け用ナット１６を、螺軸部１７において、螺合回転させて上下動すると、前記ピン３が該ピン受け用ナット１６の上下動の度毎に移動したり、あるいはピン孔１５から抜け落ちるという課題があった。
【０００５】
本発明は、前記課題を解決すべくなされたもので、ピン受け用ナットの上周縁部において、キャップを回転自在なるように連結することにより、ピンがピン孔内において移動したり、あるいは該ピン孔から抜け落ちることのない仮設工事用サポートのピン受け用ナットにおけるキャップを提供しようとするものである。
【課題を解決するための手段】
【０００６】
本発明は、下端にベースプレートを備えた大径の下方パイプに、上端に受け板を備えた小径の上方パイプを昇降自在なるよう嵌挿すると共に、該上方パイプに直径方向にピンを貫通するピン孔を長さ方向に所定間隔を有して複数個穿設し、更に、前記下方パイプの上方部外周に適宜長さの雄螺子を周設すると共に、該雄螺子の直径方向両側に長さ方向と平行な長孔をそれぞれ穿設して形成された仮設工事用サポートの雄螺子に螺合されるピン受け用ナット上に回転自在なるよう連結するキャップであって、
前記キャップは、円筒体の底部外周面の直径方向に、前記ピン受け用ナットの螺合部の上端外周縁部に周設されたフランジに嵌挿する装入凹部を備えた脚板をそれぞれ２個突設すると共に、前記各脚板の上面部と円筒体の下面部とに跨って前記ピン孔と略同径のガイド孔を直径方向にそれぞれ穿設し、更に、前記各脚板の上方部と円筒体の下面に、前記ピン孔およびガイド孔に挿通されたピンの下部外周面部を保持する切欠部を備えた湾曲保持部を設け、且つ前記ガイド孔の上部内周壁面に前記ピンの上部外周面部に喰い込む複数個の逆三角形状突起を突設して形成され、更に前記キャップの各脚板の装入凹部を前記ピン受け用ナットのフランジに嵌挿して、該キャップを該ピン受け用ナット上に回転自在に連結するという手段を採用することにより、上記課題を解決した。
【発明の効果】
【０００７】
本発明キャップを、ピン受け用ナットの上端周縁部に回転自在なるよう連結して、該ピン受け用ナットを大径の下方パイプの雄螺子部に螺合して、上方パイプを下方パイプに対して適宜昇降させて、所定の高さのピン孔とキャップのガイド孔とを一致させて、該ピン孔およびガイド孔にピンを挿通することにより、該ピンの下部外周面部は、切欠部を備えたＵ字状の湾曲保持部により保持されると共に、ピンの上部外周面部に各逆三角形状突起の尖鋭部が喰い込み、該ピンが前記ピン孔内において移動したり、また該ピン孔から抜け落ちることがない。
【実施例】
【０００８】
本発明の実施例を図面に基づいて詳細に説明する。本発明の実施例においては、本出願人の出願に係る特願２００３−１３１１５８号の仮設工事用サポートにおけるピン受け用ナットに、本発明キャップを取付けるものとして説明するが、前記特許文献１に開示された工事用サポートにおいても、本発明キャップは使用することができる。
【０００９】
図１は、本発明キャップをピン受け用ナットの上端周縁部に回転自在なるよう連結して示す仮設工事用サポートのピン受け用ナットにおけるキャップを取付けた全体の斜視図、図２は、同縦断面図、図３は、同組立分解斜視図である。すなわち、仮設工事用サポート１は、下端にベースプレート２を備えた大径の下方パイプ３に、上端に受け板４を備えた小径の上方パイプ５が昇降自在なるよう嵌挿されると共に、該上方パイプ５には直径方向に、サポート長さを調整するピン６を貫通するピン孔７が長さ方向に所定間隔を有して複数個穿設され、更に、前記下方パイプ３の外周上端縁から下方方向へ適宜長さに雄螺子８が周設されると共に、該雄螺子８の直径方向両側に長さ方向と平行な長孔９をそれぞれ穿設し、且つ前記雄螺子８にピン受け用ナット１０を螺合するようにして形成されている。
【００１０】
前記ピン受け用ナット１０には、図３に示すように、環状の螺合部１１の内周面に、前記下方パイプ３の雄螺子８に螺合する雌螺子１２を周設する一方、前記螺合部１１の直径方向外周面に、該ピン受け用ナット１０を回転させる回転金具１３を装入して掛止する回転金具受け１４がそれぞれ２個突設されている。前記回転金具受け１４は、外側端に起立片１５を突設すると共に、前記起立片１５と該螺合部１１間に、前記ピン受け用ナット１０の回転金具１３を装入して掛止する装入凹部１６を設けてＬ字状に形成されている。
【００１１】
なお、特に限定する必要はないが、好ましくは、前記起立片１５と対面する螺合部１１の周壁に、前記回転金具１３の抜け止め用の突起１７を突設することが推奨される。また、図中、１８は、前記螺合部１１の上端外周縁部に周設されたフランジであり、該フランジ１８に後述するキャップ２１の下端部に突設された各脚板２４を嵌挿するよう形成されている。
【００１２】
前記ピン受け用ナット１０の上端周縁部には、前記ピン６がピン孔７内において移動したり、あるいは該ピン孔７から抜け落ちるのを防止するキャップ２１が回転自在なるよう連結されている。すなわち、キャップ２１は、ピン受け用ナット１０の径と略同一径に形成された円筒体２２の底部外周面の直径方向に、前記キャップ２１を前記ピン受け用ナット１０の螺合部１１の上端外周縁部に周設されたフランジ１８に嵌挿して、離脱することなく回転自在に連結するための装入凹部２３を備え、且つ円周長さの略４分の１程度の長さを有する断面コ字状をした脚板２４をそれぞれ２個突設すると共に、該各脚板２４の上面部と円筒体２２の下面部とに跨って、前記ピン孔７と略同径のガイド孔２５を直径方向にそれぞれ穿設して、該各ガイド孔２５にピン６を挿通できるよう形成される。
【００１３】
そして、ピン受け用ナット１０の螺合部１１の上端外周縁部に周設されたフランジ１８に前記各脚板２４の装入凹部２３を嵌挿することにより、キャップ２１は前記ピン受け用ナット１０上に回転自在なるよう連結される。
【００１４】
なお、キャップ２１の各脚板２４の下方の折曲片２４ａの下面には、ピン受け用ナット１０の上方よりキャップ２１の各脚板２４をフランジ１８に圧入し易くするため、上方へ傾斜した傾斜面２４ｂが設けられている。前記傾斜面２４ｂを設けることにより、フランジ１８の外周面に該傾斜面２４ｂが摺接してガイドの役目を果たして、容易に装入凹部２３が前記フランジ１８に嵌挿され、前記キャップ２１がピン受け用ナット１０から離脱することがない。
【００１５】
更に、前記各脚板２４の上面部と円筒体２２の直径方向下面部とに跨って穿設された各ガイド孔２５を構成する脚板２４の上方部と円筒体２２の下面部には、前記挿通されたピン６の下部外周面部を保持する切欠部２６を備えたＵ字状の湾曲保持部２７が形成され、且つ前記ガイド孔２５の上部内周壁面には、前記ピン６の上部外周面部に喰い込む複数個(実施例では６個)の逆三角形状突起２８が突設されている。
【００１６】
そして、前記ピン６を各ピン孔７および各ガイド孔２５に挿通すると、該ピン６の下底部は、前記切欠部２６部分において、一部露出した螺合部１１の上端周面に摺接すると共に、前記ピン６の下部外周面部は前記Ｕ字状の湾曲保持部２７により保持され、且つ前記ピン６の上部外周面部に前記各逆三角形状突起２８の先端の尖鋭部２８ａが喰い込むので、前記ピン６は前記ピン孔７およびガイド孔２５内において移動したり、または該ピン孔７およびガイド孔２５から抜け落ちたりすることなく、挿通されて、ピン受け用ナット１０およびキャップ２１間に挟持される。
【００１７】
前記構成より成る本発明仮設工事用サポートのピン受け用ナットにおけるキャップの作用について説明すると、ピン受け用ナット１０の螺合部１１を下方パイプ３の雄螺子８に螺合した後、キャップ２１の各脚板２４の装入凹部２３をピン受け用ナット１０の螺合部１１の上端外周縁部に周設されたフランジ１８に嵌挿して、前記キャップ２１をピン受け用ナット１０上において回転自在なるよう連結する一方、大径の下方パイプ３に小径の上方パイプ５を嵌挿して、該上方パイプ５を下方パイプ３に対して適宜昇降させて、サポート１の全長を使用場所の高さ程度に大まかに調整する。
【００１８】
前記調整後、前記キャップ２１を前記ピン受け用ナット１０上において適宜回転させて、長孔９内に位置する所定の各ピン孔７と該キャップ２１の各ガイド孔２５とを一致させて、該各ピン孔７および各ガイド孔２５にピン６を挿通する。前記ピン孔７および各ガイド孔２５に挿通されたピン６は、Ｕ字状の湾曲保持部２７により下部外周面部が保持されると共に、上部外周面部に各逆三角形状突起２８の先端の尖鋭部２８ａが喰い込んで、該ピン６の移動と抜け落ちが防止されて固定される。
【００１９】
前記ピン６を各ピン孔７および各ガイド孔２５に挿通させた後、ピン受け用ナット１０に突設された回転金具受け１４の装入凹部１６に、該装入凹部１６に装入して掛止できる径を有する、例えばバールやドライバー、あるいは鋼棒等を回転金具１３（図１においては、バールが図示されている）として装入して掛止し、該回転金具１３を持って前記ピン受け用ナット１０を正方向へ回転させる。
【００２０】
ピン受け用ナット１０を正方向へ回転させると、螺合部１１の上端周面が、キャップ２１の切欠部２６部分において、ピン６の下底部に摺接して、摩擦抵抗が小となり、該ピン受け用ナット１０は下方パイプ３の雄螺子８に沿って円滑に回転するが、前記キャップ２１はピン６をガイド孔２５に挿通したまま回転することなく、前記ピン受け用ナット１０に押圧されて、該ピン受け用ナット１０と共に、キャップ２１も上昇するので、前記ピン６が徐々に上方に押し上げられて、該ピン６と共に上方パイプ５が上昇して、サポート１全体の全長の微調整ができるのである。そして、所定の位置まで上方パイプ５が上昇した時点で、前記ピン受け用ナット１０の回転を停止させることにより、サポート１全体の全長の調整が完了する。
【００２１】
また、前記回転金具１３を持ってピン受け用ナット１０を逆方向へ回転させると、該ピン受け用ナット１０およびキャップ２１が下降するので、上方パイプ５はその自重で、前記ピン６が前記ピン受け用ナット１０およびキャップ２１間に挟持されたまま下降し、サポート１全体の全長の微調整ができる。
【００２２】
なお、図１においては、回転金具受け１４は、螺合部１１の外周面に２個突設されている。しかしながら、図示していないが、回転金具受け１４は、１個、あるいは３個以上であってもその目的を達することができる。そして、回転金具受け１４が、２個以上螺合部１１の外周面に突設されている場合は、そのいずれかの回転金具受け１４に回転金具１３を装入掛止して使用する。
【図面の簡単な説明】
【００２３】
【図１】本発明仮設工事用サポートのピン受け用ナットにおけるキャップを取付けたサポートの全体の斜視図である。
【図２】同縦断面図である。
【図３】本発明仮設工事用サポートのピン受け用ナットにおけるキャップを使用するサポートの組立分解斜視図である。
【図４】本発明仮設工事用サポートのピン受け用ナットにおけるキャップの正面図である。
【図５】同側面図である。
【図６】同平面図である。
【図７】図６のＡ−Ａ断面図である。
【図８】図６のＢ−Ｂ断面図である。
【図９】本発明仮設工事用サポートのピン受け用ナットに本発明キャップを連結した斜視図である。
【図１０】図９のＣ−Ｃ断面図である。
【図１１】図９のＤ−Ｄ断面図である。
【符号の説明】
【００２４】
１  仮設工事用サポート
３  下方パイプ
５  上方パイプ
６  ピン
７  ピン孔
８  雄螺子
９  長孔
１０  ピン受け用ナット
１１  螺合部
１８  フランジ
２１  キャップ
２２  円筒体
２３  装入凹部
２４  脚板
２５  ガイド孔
２６  切欠部
２７  湾曲保持部
２８  逆三角形状突起
【図１】
2006063653.tif 000003
【図２】
2006063653.tif 000004
【図３】
2006063653.tif 000005
【図４】
2006063653.tif 000006
【図５】
2006063653.tif 000007
【図６】
2006063653.tif 000008
【図７】
2006063653.tif 000009
【図８】
2006063653.tif 000010
【図９】
2006063653.tif 000011
【図１０】
2006063653.tif 000012
【図１１】
2006063653.tif 000013